(57)【特許請求の範囲】
【請求項１】
ファインダー撮影モードとライブビュー撮影モードとの何れかに切替える切替手段と、
連写速度の異なる複数の連写モードを含む複数の動作モードのうち何れかの動作モードに設定する設定手段と、
前記切替手段により前記ファインダー撮影モードから前記ライブビュー撮影モードに切替えられた際に、前記設定手段により複数の連写モードのうち何れかの連写モードが設定されていた場合には、前記ファインダー撮影モードの際に前記複数の連写モードの何れに設定されていたかに関わらず、前記ライブビュー撮影モードの際に最後に設定されていた連写モードに設定するように制御する制御手段と、を有することを特徴とする撮像装置。
【請求項２】
ファインダー撮影モードとライブビュー撮影モードとの何れかに切替える切替手段と、
連写速度の異なる複数の連写モードを含む複数の動作モードのうち何れかの動作モードに設定する設定手段と、
前記切替手段により前記ライブビュー撮影モードから前記ファインダー撮影モードに切替えられた際に、前記設定手段により複数の連写モードのうち何れかの連写モードが設定されていた場合には、前記ライブビュー撮影モードの際に前記複数の連写モードの何れに設定されていたかに関わらず、前記ファインダー撮影モードの際に最後に設定されていた連写モードに設定するように制御する制御手段と、を有することを特徴とする撮像装置。
【請求項３】
前記複数の動作モードは単写モードを含み、
前記制御手段は、
前記切替手段により前記ファインダー撮影モードから前記ライブビュー撮影モード、または、前記ライブビュー撮影モードから前記ファインダー撮影モードに切替えられた際に、前記設定手段により単写モードが設定されていた場合には、前記切替手段により前記ライブビュー撮影モードまたは前記ファインダー撮影モードに切替えられても前記単写モードの設定を維持するように制御することを特徴とする請求項１または２に記載の撮像装置。
【請求項４】
前記複数の動作モードは秒時の異なる複数のセルフタイマーモードを含み、
前記制御手段は、
前記切替手段により前記ファインダー撮影モードから前記ライブビュー撮影モード、または、前記ライブビュー撮影モードから前記ファインダー撮影モードに切替えられた際に、前記設定手段によりセルフタイマーモードが設定されていた場合には、前記切替手段により前記ライブビュー撮影モードまたは前記ファインダー撮影モードに切替えられても前記セルフタイマーモードの秒時の設定を維持するように制御することを特徴とする請求項１ないし３の何れか１項に記載の撮像装置。
【請求項５】
前記ファインダー撮影モード用の連写モードの設定を記憶する第１の記憶手段と、
前記ライブビュー撮影モード用の連写モードの設定を記憶する第２の記憶手段と、を有し、
前記制御手段は、
前記ファインダー撮影モードの際に前記設定手段により前記複数の連写モードの何れかに設定されると、前記第２の記憶手段を更新することなく、設定された連写モードを前記第１の記憶手段に記憶し、
前記ライブビュー撮影モードの際に前記設定手段により前記複数の連写モードの何れかに設定されると、前記第１の記憶手段を更新することなく、設定された連写モードを前記第２の記憶手段に記憶するように制御することを特徴とする請求項１ないし４の何れか１項に記載の撮像装置。
【請求項６】
前記制御手段は、
前記切替手段により前記ライブビュー撮影モードから前記ファインダー撮影モードに切替えられた際に、前記設定手段により複数の連写モードのうち何れかの連写モードが設定されていた場合には、前記第１の記憶手段に記憶されている連写モードに設定するように制御し、
前記切替手段により前記ファインダー撮影モードから前記ライブビュー撮影モードに切替えられた際に、前記設定手段により複数の連写モードのうち何れかの連写モードが設定されていた場合には、前記第２の記憶手段に記憶されている連写モードに設定するように制御することを特徴とする請求項５に記載の撮像装置。
【請求項７】
前記ライブビュー撮影モードの際に、前記設定手段により複数の連写モードのうち第１の連写モードが設定されていた場合には連写撮影の合間に直近の撮影で得られた静止画を表示し、前記設定手段により複数の連写モードのうち第１の連写モードよりも連写速度が低速である第２の連写モードに設定されていた場合には連写撮影の合間にライブビュー画像を表示するように制御する表示制御手段を更に有することを特徴とする請求項１ないし６の何れか１項に記載の撮像装置。
【請求項８】
前記切替手段により前記ファインダー撮影モードから前記ライブビュー撮影モード、または、前記ライブビュー撮影モードから前記ファインダー撮影モードに切替えられた際に、前記設定手段により異なる連写速度の連写モードに設定される場合に撮影者に対して報知する報知手段を更に有することを特徴とする請求項１ないし７の何れか１項に記載の撮像装置。
【請求項９】
前記制御手段は、
前記設定手段により設定される複数の連写モードにおいて表示される画像に変化が生じない場合には、前記切替手段により前記ファインダー撮影モードから前記ライブビュー撮影モード、または、前記ライブビュー撮影モードから前記ファインダー撮影モードに切替えられた際に、前記設定手段により設定された連写モードの設定を維持するように制御することを特徴とする請求項１ないし８の何れか１項に記載の撮像装置。
【請求項１０】
ファインダー撮影モードとライブビュー撮影モードとの何れかに切替える切替ステップと、
連写速度の異なる複数の連写モードを含む複数の動作モードのうち何れかの動作モードに設定する設定ステップと、
前記切替ステップにより前記ファインダー撮影モードから前記ライブビュー撮影モードに切替えられた際に、前記設定ステップにより複数の連写モードのうち何れかの連写モードが設定されていた場合には、前記ファインダー撮影モードの際に前記複数の連写モードの何れに設定されていたかに関わらず、前記ライブビュー撮影モードの際に最後に設定されていた連写モードに設定するように制御する制御ステップと、を有することを特徴とする撮像装置の制御方法。
【請求項１１】
ファインダー撮影モードとライブビュー撮影モードとの何れかに切替える切替ステップと、
連写速度の異なる複数の連写モードを含む複数の動作モードのうち何れかの動作モードに設定する設定ステップと、
前記切替ステップにより前記ライブビュー撮影モードから前記ファインダー撮影モードに切替えられた際に、前記設定ステップにより複数の連写モードのうち何れかの連写モードが設定されていた場合には、前記ライブビュー撮影モードの際に前記複数の連写モードの何れに設定されていたかに関わらず、前記ファインダー撮影モードの際に最後に設定されていた連写モードに設定するように制御する制御ステップと、を有することを特徴とする撮像装置の制御方法。
【請求項１２】
コンピュータを、請求項１ないし９の何れか１項に記載された撮像装置の各手段として機能させるためのプログラム。
【請求項１３】
コンピュータを、請求項１ないし９の何れか１項に記載された撮像装置の各手段として機能させるためのプログラムを格納したコンピュータが読み取り可能な記録媒体。
【発明の詳細な説明】
【技術分野】
【０００１】
本発明は、撮像装置、撮像装置の制御方法、プログラムおよび記録媒体に関する。
【背景技術】
【０００２】
撮像装置には、ファインダー撮影モードとライブビュー撮影モードとを切替えて撮影できるものがある。ファインダー撮影モードではファインダーを通じて光学的に透過された被写体像を確認しながら撮影することができ、ライブビュー撮影モードでは表示部に表示された被写体像を確認しながら撮影することができる。
【０００３】
また、撮像装置には、シャッターボタンを押下し続けることによって連続して撮影することができる連写モードを設定できるものがある。
特許文献１には、連写撮影時には単写時の画像記録時と同じように、メモリ制御回路および画像処理回路によりメモリから読み出してクイックレビュー用現像処理を行い、画像表示を行う撮像装置が開示されている。
特許文献２には、高速連写と低速連写とが設定可能であって、高速連写で撮影した画像を再生する場合は０．３秒ごとに表示を行い、低速連写で撮影した画像を再生する場合は画像に記録された時刻データに基づいて表示するデジタルカメラが開示されている。
【先行技術文献】
【特許文献】
【０００４】
【特許文献１】特開２０００−１５６８０２号公報
【特許文献２】特開２００３−２２４７５２号公報
【発明の概要】
【発明が解決しようとする課題】
【０００５】
ライブビュー撮影モードにおいて連写モードが設定されている場合、撮影者が被写体を追従し易いように、撮影と撮影との合間に表示部に画像を表示する場合がある。このとき、低速の連写モードと高速の連写モードとで、次の撮影までの間隔が異なることから、表示部に画像を表示させる制御が相違している。通常、低速の連写モードでは次の撮影までの間隔が長いために撮影の合間に撮像部に入射した画像（ライブビュー画像）を表示し、高速の連写モードでは次の撮影までの間隔が短いために撮影の合間に直前に撮影された静止画（クイックレビュー画像）を表示する。
【０００６】
このような撮像装置において、ファインダー撮影モードとライブビュー撮影モードとを切替えて撮影する場合、連写モードの連写速度、いわゆるコマ速を引き継ぐように制御することが想定される。しかしながら、撮影者が被写体を追従して連写撮影したい場合に、高速の連写モードが設定されているときにファインダー撮影モードからライブビュー撮影モードに切替えて、高速の連写モードを引き継いでしまうと、被写体を追従した連写撮影が困難である。すなわち、ファインダー撮影モードでは撮影者はファインダーを通じて被写体を追従する連写撮影が可能であるが、ライブビュー撮影モードでは高速の連写モードを引き継いでいるため、クイックレビュー画像しか確認できず、被写体を追従することが困難である。
【０００７】
本発明は、上述したような問題点に鑑みてなされたものであり、ファインダー撮影とライブビュー撮影とを切替えて連写撮影する場合に、撮影者の目的に応じた連写撮影を行うことができるようにすることを目的とする。
【課題を解決するための手段】
【０００８】
本発明の撮像装置は、ファインダー撮影モードとライブビュー撮影モードとの何れかに切替える切替手段と、連写速度の異なる複数の連写モードを含む複数の動作モードのうち何れかの動作モードに設定する設定手段と、前記切替手段により前記ファインダー撮影モードから前記ライブビュー撮影モードに切替えられた際に、前記設定手段により複数の連写モードのうち何れかの連写モードが設定されていた場合には、前記ファインダー撮影モードの際に前記複数の連写モードの何れに設定されていたかに関わらず、前記ライブビュー撮影モードの際に最後に設定されていた連写モードに設定するように制御する制御手段と、を有することを特徴とする。
【発明の効果】
【０００９】
本発明によれば、ファインダー撮影とライブビュー撮影とを切替えて連写撮影する場合に撮影者の目的に応じた連写撮影を行うことができる。
【図面の簡単な説明】
【００１０】
【図１】デジタルカメラの外観構成の一例を示す図である。
【図２】デジタルカメラの構成の一例を示す図である。
【図３】被写体像の一例を示す図である。
【図４】デジタルカメラのライブビュー撮影処理を示すフローチャートである。
【図５】デジタルカメラの撮影処理を示すフローチャートである。
【図６】デジタルカメラの切替処理を示すフローチャートである。
【発明を実施するための形態】
【００１１】
以下、本発明の好ましい実施形態について添付の図面に基づいて詳細に説明する。
図１（ａ）、（ｂ）は、撮像装置の一例としてデジタルカメラ１００の外観図を示す。図１（ａ）はデジタルカメラ１００の前面斜視図であり、図１（ｂ）はデジタルカメラ１００の背面斜視図である。
デジタルカメラ１００は、上面にシャッターボタン１０１、メイン電子ダイヤル１０２、モード切替スイッチ１０３、ファインダー外表示部１０４等を備える。シャッターボタン１０１は、撮影の準備を指示したり、撮影を指示したりするためのボタンである。メイン電子ダイヤル１０２は、シャッター速度や絞り等の設定値を変更するための回転式のダイヤルである。モード切替スイッチ１０３は、各種モードを切替えるための回転式のスイッチである。モード切替スイッチ１０３により静止画撮影モード、動画撮影モード等に切替えられる。ファインダー外表示部１０４は、シャッター速度や絞り等の様々な設定値を表示する。
【００１２】
また、デジタルカメラ１００は、背面に表示部１０５、電源スイッチ１０６、サブ電子ダイヤル１０７、十字キー１０８、ＳＥＴボタン１０９、ライブビューボタン１１０、拡大ボタン１１１、縮小ボタン１１２、再生ボタン１１３、ファインダー１１４等を備える。
表示部１０５は、画像や各種情報を表示する。また、表示部１０５は、ライブビュー撮影においてライブビュー画像を表示したり、静止画撮影後のクイックレビュー画像を表示したり、動画記録中の画像を表示したりする。電源スイッチ１０６は、デジタルカメラ１００の電源のオンおよびオフを切替えるスイッチである。サブ電子ダイヤル１０７は、選択枠の移動や画像送り等を行うための回転式のダイヤルである。十字キー１０８は、上下左右にそれぞれ押下可能なキーであり、押下した位置に応じた操作が可能である。また、十字キー１０８は、ドライブモードの変更を指示するときに用いられる。ドライブモードについては後述する。ＳＥＴボタン１０９は、主に選択項目を決定するときに押下されるボタンである。
【００１３】
ライブビューボタン１１０は、静止画撮影モードにおいてファンダー撮影モードとライブビュー撮影モードとを切替えるためのボタンである。また、ライブビューボタン１１０は、動画撮影モードにおいて動画撮影（記録）の開始および停止を指示するときに用いられる。拡大ボタン１１１は、ライブビュー画像の表示において拡大モードのオン、オフおよび拡大モード中の拡大率を変更するためのボタンである。また、拡大ボタン１１１は、再生モードにおいて再生画像の拡大率を大きくするときに用いられる。縮小ボタン１１２は拡大された再生画像の拡大率を小さくし、表示された画像を縮小させるためのボタンである。再生ボタン１１３は、撮影モードと再生モードとを切替えるためのボタンである。静止画撮影モードあるいは動作撮影モード中に再生ボタン１１３が押下されることで、再生モードに切替えられ、表示部１０５に記録媒体に記憶された画像のうち最新の画像が表示される。ファインダー１１４は、被写体の光学像の焦点や構図の確認を行うための覗き込み型のファインダーである。
【００１４】
また、デジタルカメラ１００の右側にはグリップ部１１５、蓋部１１６等を備え、左側には端子カバー１１７等を備える。グリップ部１１５は、撮影者がデジタルカメラ１００を構えたときに右手で握り易いように形成された保持部である。蓋部１１６は、記録媒体を格納するスロットを閉塞するための蓋である。端子カバー１１７は、外部機器の接続ケーブル等を接続するコネクタを保護するためのカバーである。
また、デジタルカメラ１００の内部には、アクチュエータによってアップダウンされるクイックリターンミラー１１８が配置される。また、デジタルカメラ１００には、着脱可能なレンズユニットと通信するための通信端子１１９を備える。
【００１５】
図２は、デジタルカメラ１００の構成を示す図である。なお、図１と同一の構成は、同一符号を付してその説明を適宜、省略する。デジタルカメラ１００は、着脱可能なレンズユニット２０１が装着される。
まず、レンズユニット２０１について説明する。
レンズユニット２０１は、絞り２０２、レンズ群２０３、絞り駆動回路２０４、ＡＦ（オートフォーカス）駆動回路２０５、レンズ制御回路２０６、通信端子２０７等を有する。絞り２０２は、開口径が調整可能に構成される。レンズ群２０３は、複数枚のレンズから構成される。絞り駆動回路２０４は、絞り２０２の開口径を制御することで光量を調整する。ＡＦ駆動回路２０５は、レンズ群２０３を駆動させて焦点を合わせる。レンズ制御回路２０６は、後述するシステム制御部の指示に基づいて、絞り駆動回路２０４、ＡＦ駆動回路２０５等を制御する。レンズ制御回路２０６は、絞り駆動回路２０４を介して絞り２０２の制御を行い、ＡＦ駆動回路２０５を介してレンズ群２０３の位置を変位させることで焦点を合わせる。レンズ制御回路２０６は、デジタルカメラ１００との間で通信可能である。具体的には、レンズユニット２０１の通信端子２０７と、デジタルカメラ１００の通信端子１１９とを介して通信される。
【００１６】
次に、デジタルカメラ１００について説明する。
デジタルカメラ１００は、クイックリターンミラー１１８、フォーカシングスクリーン２０８、ペンタプリズム２０９、ＡＥ（自動露出）センサ２１０、焦点検出部２１１、ファインダー１１４、シャッター２１２、撮像部２１３、システム制御部２１４を有する。
クイックリターンミラー１１８（以下、ミラー１１８）は、露光、ライブビュー画像の表示、動画撮影をする場合に、システム制御部２１４の指示に基づいてアクチュエータによりアップダウンされる。ミラー１１８は、レンズ群２０３から入射した光束をファインダー１１４側または撮像部２１３側に切替える。通常の場合には、ミラー１１８は光束をファインダー１１４側に導くように配置される。一方、撮影する場合やライブビュー画像を表示する場合には、ミラー１１８は光束を撮像部２１３に導くように上方に跳ね上がり待避する（ミラーアップ）。また、ミラー１１８は、中央部が光の一部を透過するハーフミラーで構成され、光束の一部が焦点検出を行うための焦点検出部２１１に入射するように透過させる。ＡＥセンサ２１０は、レンズユニット２０１を通した被写体の輝度を測光する。焦点検出部２１１は、ミラー１１８により透過された光束に基づいてデフォーカス量を検出する。システム制御部２１４はデフォーカス量に基づいてレンズユニット２０１を制御し、位相差ＡＦを行う。撮影者は、ペンタプリズム２０９とファインダー１１４を介して、フォーカシングスクリーン２０８を観察することで、レンズユニット２０１を通して得た被写体の光学像の焦点や構図を確認することができる。シャッター２１２は、システム制御部２１４の指示に基づいて撮像部２１３の露光時間を自由に制御できるフォーカルプレーンシャッターである。撮像部２１３は、光学像を電気信号に変換するＣＣＤやＣＭＯＳ素子等で構成される撮像素子である。
【００１７】
また、デジタルカメラ１００は、Ａ／Ｄ変換器２１５、メモリ制御部２１６、画像処理部２１７、メモリ２１８、Ｄ／Ａ変換器２１９、表示部１０５を有する。Ａ／Ｄ変換器２１５は、撮像部２１３から出力されるアナログ信号をデジタル信号に変換する。画像処理部２１７は、Ａ／Ｄ変換器２１５からのデータまたはメモリ制御部２１６からのデータに対し所定の画素補間、縮小といったリサイズ処理や色変換処理を行う。また、画像処理部２１７では、撮影した画像データを用いて所定の演算処理が行われ、得られた演算結果に基づいてシステム制御部２１４が露光制御、測距制御を行う。この処理により、ＴＴＬ（スルー・ザ・レンズ）方式のＡＦ処理、ＡＥ処理、ＥＦ（フラッシュプリ発光）処理が行われる。更に、画像処理部２１７では、撮影した画像データを用いて所定の演算処理を行い、得られた演算結果に基づいてＴＴＬ方式のＡＷＢ（オートホワイトバランス）処理も行っている。
【００１８】
Ａ／Ｄ変換器２１５からの画像データは、画像処理部２１７およびメモリ制御部２１６を介して、または、メモリ制御部２１６を介してメモリ２１８に直接書き込まれる。メモリ２１８は、撮像部２１３によって得られＡ／Ｄ変換器２１５によりデジタルデータに変換された画像データや、表示部１０５に表示するための画像データを格納する。この画像データは、クイックレビュー画像として用いられる。メモリ２１８は、所定枚数の静止画像や所定時間の動画および音声を格納するのに十分な記憶容量を備えている。また、メモリ２１８は、画像表示用のメモリ（ビデオメモリ）を兼ねている。
【００１９】
Ｄ／Ａ変換器２１９は、メモリ２１８に格納されている表示用の画像データをアナログ信号に変換して表示部１０５に供給する。したがって、メモリ２１８に書き込まれた表示用の画像データは、Ｄ／Ａ変換器２１９を介して表示部１０５により表示される。表示部１０５は、ＬＣＤ等の表示器上にＤ／Ａ変換器２１９からのアナログ信号に応じた表示を行う。Ａ／Ｄ変換器２１５によって一度Ａ／Ｄ変換されメモリ２１８に蓄積されたデジタル信号をＤ／Ａ変換器２１９でアナログ変換し、表示部１０５に逐次転送して表示することでライブビュー画像を表示（スルー表示）でき、電子ビューファインダとして機能する。
【００２０】
また、デジタルカメラ１００は、ファインダー内表示部２２０、ファインダー内表示駆動回路２２１、ファインダー外表示部１０４、ファインダー外表示駆動回路２２２、不揮発性メモリ２２３、システムメモリ２２４、システムタイマー２２５を有する。ファインダー内表示部２２０は、ファインダー内表示駆動回路２２１を介して現在オートフォーカスが行われている測距点を示す枠（ＡＦ枠）や、カメラの設定状態を表すアイコンなどを表示する。ファインダー外表示部１０４は、ファインダー外表示駆動回路２２２を介してシャッター速度や絞り等の設定値を表示する。不揮発性メモリ２２３は、電気的に消去・記憶可能なメモリであり、例えばＥＥＰＲＯＭ等が用いられる。不揮発性メモリ２２３には、システム制御部２１４の動作用の定数、プログラム等が記憶される。このプログラムは、後述する各フローチャートの処理を実行するためのプログラムである。また、不揮発性メモリ２２３には、後述するドライブモード情報が記憶される。
【００２１】
システムメモリ２２４は、例えばＲＡＭが用いられる。システムメモリ２２４には、システム制御部２１４の動作用の定数、変数、不揮発性メモリ２２３から読み出したプログラム等が展開される。また、システムメモリ２２４には、ドライブモードの情報を示すドライブモード情報が記憶される。システムタイマー２２５は、各種制御に用いる時間や、内蔵された時計の時間を計測する計時部である。
システム制御部２１４は、デジタルカメラ１００全体を制御する。システム制御部２１４は、上述した不揮発性メモリ２２３に記憶されたプログラムを実行することで、後述する各処理を実現する。また、システム制御部２１４は、メモリ２１８、Ｄ／Ａ変換器２１９、表示部１０５等を制御することにより表示制御も行う。システム制御部２１４は、表示制御手段、切替手段、設定手段、制御手段および報知手段の一例として機能する。
【００２２】
また、デジタルカメラ１００は、モード切替スイッチ１０３、第１シャッタースイッチ２２６、第２シャッタースイッチ２２７、操作部２２８等のシステム制御部２１４に各種の動作指示を入力するための操作手段を有する。
モード切替スイッチ１０３は、静止画撮影モード、動画撮影モードおよび再生モード等の何れかに切替えるためのスイッチである。システム制御部２１４は、モード切替スイッチ１０３により切替えられたモードを設定する。静止画撮影モードに含まれるモードには、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ１０３により、上述したモードの何れかに直接切替えることができる。また、モード切替スイッチ１０３によりメニューボタンに一旦切替えた後に、メニューボタンに含まれる上述したモードの何れかに、他の操作部材を用いて切替えてもよい。同様に、動画撮影モードにも複数のモードが含まれていてもよい。
【００２３】
第１シャッタースイッチ２２６は、シャッターボタン１０１の操作途中、いわゆる半押し（撮影準備指示）でオンとなり、第１シャッタースイッチ信号ＳＷ１を発生させる。システム制御部２１４は、第１シャッタースイッチ信号ＳＷ１により、ＡＦ処理、ＡＥ処理、ＡＷＢ処理、ＥＦ処理等の動作を開始する。
第２シャッタースイッチ２２７は、シャッターボタン１０１の操作完了、いわゆる全押し（撮影指示）でオンとなり、第２シャッタースイッチ信号ＳＷ２を発生させる。システム制御部２１４は、第２シャッタースイッチ信号ＳＷ２により、撮像部２１３からの信号読み出しから記録媒体２３０に画像データを書き込むまでの一連の撮影処理の動作を開始する。
【００２４】
操作部２２８は、撮影者の操作を受け付ける入力部としての各種操作部材である。操作部２２８は、表示部１０５に表示される種々の機能アイコンを選択操作すること等により、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、メニューボタンが押下されると各種の設定可能なメニュー画面が表示部１０５に表示される。撮影者は表示部１０５に表示されたメニュー画面と、上下左右の十字キー１０８やＳＥＴボタン１０９とを用いて直感的に各種設定を行うことができる。操作部２２８は例えば、シャッターボタン１０１、メイン電子ダイヤル１０２、電源スイッチ１０６、サブ電子ダイヤル１０７、十字キー１０８、ＳＥＴボタン１０９、ライブビューボタン１１０、拡大ボタン１１１、縮小ボタン１１２、再生ボタン１１３が含まれる。
【００２５】
なお、操作部２２８の一つとして、表示部１０５に対する接触を検知可能なタッチパネル２２９を有する。タッチパネル２２９と表示部１０５とは一体的に構成することができる。例えば、光の透過率が表示部１０５の表示を妨げないように、タッチパネル２２９を表示部１０５の表示面の上層に取り付ける。そして、タッチパネル２２９における入力座標と、表示部１０５上の表示座標とを対応付けることで、恰も撮影者が表示部１０５上に表示された画面を直接的に操作可能であるかのようなＧＵＩ（グラフィカルユーザインターフェース）を構成することができる。タッチパネル２２９は、抵抗膜方式や静電容量方式、表面弾性波方式、赤外線方式、電磁誘導方式、画像認識方式、光センサ方式等の様々な方式のうち何れかの方式を用いることができる。また、方式によって、タッチパネル２２９に対する接触があったことでタッチがあったと検出する方式や、タッチパネル２２９に対する指やペンの接近があったことでタッチがあったと検出する方式があるが、何れの方式であってもよい。
【００２６】
また、デジタルカメラ１００は、電源制御部２３１、電源部２３２、記録媒体Ｉ／Ｆ２３３、通信部２３４、姿勢検知部２３５等を有する。電源制御部２３１は、電池検出回路、ＤＣ−ＤＣコンバータ、通電するブロックを切り替えるスイッチ回路等により構成され、電池の装着の有無、電池の種類、電池残量の検出を行う。また、電源制御部２３１は、その検出結果およびシステム制御部２１４の指示に基づいてＤＣ−ＤＣコンバータを制御し、必要な電圧を必要な期間、記録媒体２３０を含む各部へ供給する。電源部２３２は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２３３は、メモリカードやハードディスク等の記録媒体２３０とのインターフェースである。記録媒体２３０は、撮影された画像を記憶するためのメモリカード等の記録媒体であり、半導体メモリや磁気ディスク等から構成される。通信部２３４は、デジタルカメラ１００を無線または有線ケーブルによって外部機器に接続し、映像信号や音声信号の送受信を行う。また、通信部２３４は、撮像部２１３で撮影した画像（ライブビュー画像を含む）や、記録媒体２３０に記憶された画像を送信したり、外部機器から画像データやその他の各種情報を受信したりすることができる。なお、通信部２３４は、無線ＬＡＮ（Local Area Network）やインターネットとも接続可能である。姿勢検知部２３５は、重力方向に対するデジタルカメラ１００の姿勢を検知する。システム制御部２１４は、姿勢検知部２３５により検知された姿勢に基づいて、撮像部２１３で撮影された画像がデジタルカメラ１００を横に構えて撮影された画像であるか、縦に構えて撮影された画像であるか判別することができる。なお、システム制御部２１４は、姿勢検知部２３５で検知された姿勢に応じた向き情報を、撮像部２１３で撮像された画像の画像ファイルに付加したり、画像を回転して記憶したりすることができる。姿勢検知部２３５には加速度センサやジャイロセンサ等を用いることができる。
【００２７】
また、本実施形態のデジタルカメラ１００は、ライブビュー撮影モードの場合に表示部１０５に表示された任意の被写体をタッチパネル２２９を介してタッチすることにより、タッチされた被写体に合わせたＡＦ、すなわちタッチＡＦが可能である。
また、本実施形態のデジタルカメラ１００は、位相差ＡＦによるファインダー撮影と撮像面ＡＦによるライブビュー撮影が可能である。
ここで、撮像面ＡＦには、任意１点ＡＦ、顔ＡＦ等のＡＦ方式がある。
任意１点ＡＦは、撮影画面内の任意の位置１点に対してＡＦを行う方式である。なお、任意１点ＡＦと同時に、任意１点ＡＥ、任意１点ＦＥ、任意１点ＷＢが行われる。任意１点ＡＥとは、選択されているＡＦ枠の明るさに合わせて、画面全体の露出を最適化することである。
顔ＡＦとは、ライブビュー撮影の場合に実行することのできる機能であり、顔検出機能によって検出された撮影画面内の顔に対してＡＦを行う方式である。なお、顔ＡＦと同時に、ライブビュー撮影の場合に、顔ＡＥ、顔ＦＥ、顔ＷＢが行われる。顔ＡＥとは、検出された顔の明るさに合わせて、画面全体の露出を最適化することである。顔ＦＥとは、検出された顔を中心にフラッシュの調光をすることである。顔ＷＢとは、検出された顔の色に合わせて画面全体のＷＢを最適化することである。
【００２８】
次に、本実施形態のドライブモードについて説明する。
ドライブモードとは、シャッター２１２の動作に関連した動作モードである。本実施形態のドライブモードは、連写モードとしての高速連続撮影モード（第１の連写モード）および低速連続撮影モード（第２の連写モード）、単写モードとしての１枚撮影モード、セルフタイマー撮影モードがある。
高速連続撮影モードおよび低速連続撮影モードは、システム制御部２１４が撮像部２１３からの信号読み出しから記録媒体２３０に画像データを書き込むまでの一連の撮影処理の動作を完了した後に、繰り返し一連の撮影処理を行うモードである。具体的には、システム制御部２１４は、第２シャッタースイッチ２２７が押下し続けられ、第２シャッタースイッチ信号ＳＷ２が発生している間、連続した撮影処理を行う。高速連続撮影モードは連写速度が高速であり、低速連続撮影モードは高速連続撮影モードと比較して連写速度が低速である。
【００２９】
１枚撮影モードは、システム制御部２１４が撮像部２１３からの信号読み出しから記録媒体２３０に画像データを書き込むまでの一連の撮影処理の動作で完了するモードである。具体的には、システム制御部２１４は、第２シャッタースイッチ２２７が押下され、第２シャッタースイッチ信号ＳＷ２が発生した場合に一連の撮影処理を行い、第２シャッタースイッチ２２７が押下し続けられていても、繰り返し一連の撮影処理を行わない。
【００３０】
セルフタイマー撮影モードは、システム制御部２１４がタイマーのカウント値が所定の値に達すると、１枚撮影モードと同様に撮像部２１３からの信号読み出しから記録媒体２３０に画像データを書き込むまでの一連の撮影処理の動作を行うモードである。具体的には、システム制御部２１４は、第２シャッタースイッチ２２７が押下され、第２シャッタースイッチ信号ＳＷ２が発生した場合にカウントを開始し、タイマーのカウント値が所定の値に達すると、一連の撮影処理の動作を行う。なお、セルフタイマー撮影モードは、秒時の異なる複数のセルフタイマーモードが含まれる。例えば、２秒後に撮影を行う２秒セルフタイマーモードや１０秒後に撮影を行う１０秒セルフタイマーモード等の複数のセルフタイマーモードが含まれる。
システム制御部２１４は十字キー１０８の操作に応じて、あるいは、ファインダー撮影モードとライブビュー撮影モードとの切替えに応じて、上述の何れかのドライブモードのドライブモード情報をシステムメモリ２２４に記憶することでドライブモードを設定する。
【００３１】
次に、ファインダー撮影モードおよびライブビュー撮影モードについて説明する。
ファインダー撮影モードは、表示部１０５にライブビュー画像が表示されず、撮影者がファインダー１１４を通じて被写体の光学像の焦点や構図を確認しながら撮影するモードである。ライブビュー撮影モードは、撮影者が表示部１０５に表示される被写体の画像を確認しながら撮影するモードである。
システム制御部２１４はライブビューボタン１１０の押下に応じて、ファインダー撮影モードとライブビュー撮影モードとを交互に切替え、対応する撮影モード情報をシステムメモリ２２４に記憶することで設定する。
【００３２】
ここで、ファインダー撮影モードおよびライブビュー撮影モードについて、ドライブモードとして低速連続撮影モードまたは高速連続撮影モードが設定されている場合に連写撮影した場合の被写体の構図について図３を参照して説明する。
図３（ａ）は、ファインダー撮影モードにおいてファインダー１１４を通じて見える被写体像の一例を示す図である。ここでは、ドライブモードとして低速連続撮影モードまたは高速連続撮影モードが設定されているものとする。図３（ａ）に示すように、撮影者はファインダー１１４を通じて被写体が移動することを確認できる。したがって、ドライブモードとして高速連続撮影モードまたは低速連続撮影モードの連写モードが設定されていたとしても、撮影者は被写体を例えば右上から左下になるように構図に収めながら連写撮影することができる。
【００３３】
図３（ｂ）は、ライブビュー撮影モードにおいてドライブモードとして低速連続撮影モードが設定されている場合に、表示部１０５に表示される被写体の一例を示す図である。低速連続撮影モードの場合には、撮影した１コマと１コマとの間に表示部１０５にライブビュー画像が表示される。
画像３０１ａは、連写撮影の１コマ目として撮影した画像を示す図である。撮影者はライブビュー画像を確認することで１コマ目として被写体が例えば右上に位置する画像３０１ａを撮影することができる。
画像３０１ｂは、次の撮影までの合間に、表示部１０５に表示されるライブビュー画像を示す図である。すなわち、システム制御部２１４は次の撮影までの間にライブビュー画像を表示部１０５に表示する。撮影者はライブビュー画像から、被写体が１コマ目より少し移動した状態から更に移動している状況を確認することができる。
画像３０１ｃは、連写撮影の２コマ目として撮影した画像を示す図である。撮影者は表示部１０５に表示される上述した画像３０１ｂのライブビュー画像を確認することで、被写体の移動する位置を表示部１０５上で目視して、撮影方向を変更できる。したがって、被写体が例えば左下に位置する画像３０１ｃを撮影することができる。
このように、ライブビュー撮影モードにおいて低速連続撮影モードが設定されている場合には、撮影者はファインダー撮影モードと同様に被写体を構図に収めながら撮影することができる。
【００３４】
図３（ｃ）は、ライブビュー撮影モードにおいてドライブモードとして高速連続撮影モードが設定されている場合に、表示部１０５に表示される被写体の一例を示す図である。高速連続撮影モードの場合には、撮影した１コマと１コマとの間に表示部１０５にクイックレビュー画像が表示される。
画像３０２ａは、連写撮影の１コマ目として撮影した画像を示す図である。撮影者はライブビュー画像を確認することで１コマ目として被写体が例えば右上に位置する画像３０２ａを撮影することができる。
画像３０２ｂは、次の撮影までの合間に、表示部１０５に表示されるクイックレビュー画像を示す図である。すなわち、次の撮影までの間隔が短いために、システム制御部２１４は次の撮影までの間にクイックレビュー画像を表示部１０５に表示する。クイックレビュー画像は、１コマ目として直近で撮影した画像３０２ａである。
画像３０２ｃは、連写撮影の２コマ目として撮影した画像を示す図である。撮影者は上述した画像３０２ｂのクイックレビュー画像では被写体が移動している状況を確認することができないので、被写体の移動する位置を予測して撮影方向を変更する。そのため、被写体が構図からはみ出した画像３０２ｃが撮影されてしまう虞がある。
このように、ライブビュー撮影において高速連続撮影モードが設定されている場合には、撮影者は低速連続撮影モードが設定されている場合よりも移動する被写体を構図に収めながら撮影することが難しい。
【００３５】
このように、本実施形態ではライブビュー撮影モードにおいて高速連続撮影モードと低速連続撮影モードとの間で表示部１０５に表示される画像が異なる。このような場合、ファインダー撮影モードとライブビュー撮影モードとを切替えたときにドライブモードを引き継ぐと不都合が生じることがある。
まず、第１の例として、ファインダー撮影モードにおいて高速連続撮影モードが設定され、ライブビュー撮影モードに切替えたときでも高速連続撮影モードが引き継がれる場合を想定する。この場合、ファインダー撮影モードでは高速連続撮影モードであってもファインダー１１４を通じて滑らかに移動する被写体を確認でき、撮影者は容易に被写体を構図に収めることができる。一方、ライブビュー撮影モードにおいて高速連続撮影モードが引き継がれると、連写撮影の次の撮影までにクイックレビュー画像が表示されるために、撮影者は被写体を構図に収めながら撮影することが難しくなる。
このような点から、撮影者が被写体を追従したい目的の場合にはファインダー撮影モードとライブビュー撮影モードとでドライブモードをそれぞれ別々に設定できることが望ましい。
【００３６】
また、第２の例として、ファインダー撮影モードにおける連写モードの連写速度と、ライブビュー撮影モードにおける連写モードの連写速度とが異なる場合を想定する。この場合に、撮影者は適度な連写速度がファインダー撮影モードでは低速連続撮影モード、ライブビュー撮影モードでは高速連続撮影と考えているにも関わらず、ファインダー撮影とライブビュー撮影との間でドライブモードを設定しなければならず作業が煩わしい。
このような点から、撮影者が連写速度を適度な速度にしたい目的の場合にはファインダー撮影モードとライブビュー撮影モードとでドライブモードをそれぞれ別々に設定できることが望ましい。
【００３７】
本実施形態では、上述したような要望に鑑みて、撮影者の目的に応じた連写撮影ができるようにドライブモードを設定する方法について図４〜図６のフローチャートを参照して説明する。
図４は、デジタルカメラ１００によるライブビュー撮影モードの設定によって開始されるライブビュー撮影処理の動作を示すフローチャートである。すなわち、システムメモリ２２４にはライブビュー撮影モードに対応する撮影モード情報が記憶されている。図４のフローチャートは、システム制御部２１４が不揮発性メモリ２２３に記憶されたプログラムをシステムメモリ２２４に展開して、実行することで実現する。また、システム制御部２１４はドライブモードの初期設定として例えば１枚撮影モードに対応するドライブモード情報をシステムメモリ２２４に記憶する。ただし、この場合に限られず、システム制御部２１４は、高速連続撮影モード、低速連続撮影モード、セルフタイマー撮影モードの何れかのドライブモードに対応するドライブモード情報をシステムメモリ２２４に記憶していてもよい。
【００３８】
まず、Ｓ４０１では、システム制御部２１４は表示部１０５にライブビュー画像を表示する。
Ｓ４０２では、システム制御部２１４は第１シャッタースイッチ信号ＳＷ１が発生したか否か、すなわち第１シャッタースイッチ２２６が押下（シャッターボタン１０１が半押し）されたか否かを判定する。第１シャッタースイッチ信号ＳＷ１が発生した場合にはＳ４０３に進み、発生していない場合にはＳ４１０に進む。
【００３９】
Ｓ４０３では、システム制御部２１４は測距および測光を行い、ＡＦおよびＡＥを実行する。このとき、システム制御部２１４は撮像面ＡＦによるＡＦを行う。
Ｓ４０４では、システム制御部２１４はＡＦおよびＡＥを行った後のライブビュー画像を表示部１０５に表示する。
【００４０】
Ｓ４０５では、システム制御部２１４は第２シャッタースイッチ信号ＳＷ２が発生したか否か、すなわち第２シャッタースイッチ２２７が押下（シャッターボタン１０１が全押し）されたか否かを判定する。第２シャッタースイッチ信号ＳＷ２が発生した場合にはＳ４０６の撮影処理に進み、発生していない場合にはＳ４０７に進む。なお、Ｓ４０６の撮影処理は、図５のフローチャートを参照して後述する。
【００４１】
Ｓ４０７では、システム制御部２１４は第１シャッタースイッチ２２６が継続して押下され、第１シャッタースイッチ信号ＳＷ１が発生しているか否かを判定する。第１シャッタースイッチ信号ＳＷ１が発生している場合にはＳ４０４に戻り、発生していない場合（シャッターボタン１０１の半押しが解除された場合）にはＳ４０８に進む。
Ｓ４０８では、システム制御部２１４は撮影を行ったか否か、すなわちＳ４０６による撮影処理を行ったか否かを判定する。撮影を行った場合にはＳ４０９に進み、撮影を行っていない場合にはＳ４１０に進む。
【００４２】
Ｓ４０９では、システム制御部２１４は最後に撮影した画像を表示部１０５に表示する。具体的には、システム制御部２１４はメモリ制御部２１６を介してメモリ２１８に記憶された表示用の画像データ（クイックレビュー画像）を表示部１０５に表示する。
Ｓ４１０では、システム制御部２１４はドライブモードを変更する操作が行われたか否かを判定する。具体的には、システム制御部２１４は撮影者がドライブモードとして、高速連続撮影モード、低速連続撮影モード、１枚撮影モードおよびセルフタイマー撮影モードの何れかに変更する操作が行われたか否かを判定する。ドライブモードを変更する操作が行われた場合にはＳ４１１に進み、行われなかった場合にはＳ４１２に進む。
【００４３】
Ｓ４１１では、システム制御部２１４は撮影者により変更されたドライブモードに設定する。具体的には、システム制御部２１４は変更されたドライブモードに対応するドライブモード情報をシステムメモリ２２４に更新して記憶することでドライブモードを設定する。
ここで、設定するドライブモードが連写モードであったものとする（高速連続撮影モードまたは低速連続撮影モードの何れかであった場合）。この場合には、更にシステム制御部２１４は不揮発性メモリ２２３の記憶領域のうちライブビュー撮影モード用の記憶領域に、設定した連写モード情報（高速連続撮影モードまたは低速連続撮影モードの何れかであるかの情報）を記憶する。ここで、不揮発性メモリ２２３には、第１の記憶手段としてのファインダー撮影モード用の記憶領域と、第２の記憶手段としてのライブビュー撮影モード用の記憶領域とが別々に設定されている。すなわち、システム制御部２１４は現時点の撮影モードがライブビュー撮影モードの場合にはライブビュー撮影モード用の記憶領域に連写モード情報を記憶する。一方、システム制御部２１４は現時点の撮影モードがファインダー撮影モードの場合にはファインダー撮影モード用の記憶領域に連写モード情報を記憶する。したがって、ライブビュー撮影モードにおいて、システム制御部２１４が高速連続撮影モードまたは低速連続撮影モードの何れかの連写モード情報を記憶しても、ファインダー撮影モード用の記憶領域に記憶された連写モード情報が更新されずに保持される。逆に、ファインダー撮影モードにおいて、システム制御部２１４が高速連続撮影モードまたは低速連続撮影モードの何れかの連写モード情報を記憶しても、ライブビュー撮影モード用の記憶領域に記憶された連写モード情報は更新されず保持される。
一方、設定するドライブモードが１枚撮影モードまたはセルフタイマー撮影モードの場合、システム制御部２１４は不揮発性メモリ２２３に連写モード情報を記憶しない。
【００４４】
Ｓ４１２では、システム制御部２１４は終了するか否かを判定する。システム制御部２１４は電源スイッチ１０６により電源がオフされたり、再生モードやファインダー撮影モード等の他のモードへ遷移されたりした場合にはライブビュー撮影処理を終了する。終了しない場合にはＳ４０１に戻り、上述した処理を繰り返す。
【００４５】
次に、Ｓ４０６の撮影処理について図５のフローチャートを参照して説明する。
Ｓ５０１では、システム制御部２１４は現在設定されているドライブモードを判定する。具体的には、システム制御部２１４はシステムメモリ２２４に記憶されたドライブモード情報を読み出すことでドライブモードを判定する。
高速連続撮影モードの場合にはＳ５０２に進み、低速連続撮影モードの場合にはＳ５０５に進み、１枚撮影モードの場合にはＳ５０７に進み、セルフタイマー撮影モードの場合にはＳ５１０に進む。
【００４６】
Ｓ５０２（高速連続撮影モード）では、システム制御部２１４は撮像部２１３からの信号読み出しから記録媒体２３０に画像データを書き込むまでの一連の撮影処理を行う。
Ｓ５０３では、システム制御部２１４は撮影した画像を表示部１０５に表示する。具体的には、システム制御部２１４はメモリ制御部２１６を介してメモリ２１８に記憶された表示用の画像データ（クイックレビュー画像）を表示部１０５に表示する。このクイックレビュー表示は、連写の次の撮影まで更新されない。すなわち、連写の合間には静止した画像が表示される。
Ｓ５０４では、システム制御部２１４は第２シャッタースイッチ信号ＳＷ２が発生しているか否か、すなわち第２シャッタースイッチ２２７が継続して押下されているか否かを判定する。第２シャッタースイッチ信号ＳＷ２が発生している場合にはＳ５０１に戻り、Ｓ５０２による撮影処理、Ｓ５０３のクイックレビュー画像の表示を行う。このとき、システム制御部２１４は前回のＳ５０２の撮影から高速連続撮影モードとして予め定められた間隔で撮影処理を行う。Ｓ５０２の撮影処理、Ｓ５０３のクイックレビュー画像の表示は、第２シャッタースイッチ２２７の押下が継続されている間、繰り返し行う。したがって、ライブビュー撮影モードにおいて高速連続撮影モードが設定されている場合には、第２シャッタースイッチ２２７が押下されている間、繰り返し撮影され、撮影の合間に直前に撮影された画像がクイックレビュー画像として表示部１０５に表示される。なお、Ｓ５０４において、第２シャッタースイッチ信号ＳＷ２が発生していない場合には、図４のフローチャートに戻る。
このように、ライブビュー撮影モードにおいて高速連続撮影モードが設定されている場合には、撮影者は高速で連写撮影したい目的で利用することに適している。
【００４７】
Ｓ５０５（低速連続撮影モード）では、システム制御部２１４は一連の撮影処理を行う。この処理は、Ｓ５０２と同様の処理である。
Ｓ５０６では、システム制御部２１４は表示部１０５にライブビュー画像を表示する。この画像は、連写の次の撮影が行われる前に更新される。すなわち、連写の合間に更新して表示されるライブビュー画像によって、被写体の動きを確認することができる。
Ｓ５０４では、システム制御部２１４は第２シャッタースイッチ信号ＳＷ２が発生しているか否かを判定する。この処理は、高速連続撮影モードの場合と同様である。第２シャッタースイッチ信号ＳＷ２が発生している場合にはＳ５０１に戻り、Ｓ５０５による撮影処理、Ｓ５０６によるライブビュー画像の表示を行う。このとき、システム制御部２１４は前回のＳ５０５での撮影から低速連続撮影モードとして予め定められた間隔で撮影処理を行う。Ｓ５０５の撮影処理、Ｓ５０６のライブビュー画像の表示は、第２シャッタースイッチ２２７の押下が継続されている間、繰り返し行う。したがって、ライブビュー撮影モードにおいて低速連続撮影モードが設定されている場合には、第２シャッタースイッチ２２７が押下されている間、繰り返し撮影され、撮影の合間にライブビュー画像が表示部１０５に表示される。なお、第２シャッタースイッチ信号ＳＷ２が発生していない場合には、図４のフローチャートに戻る。
このように、ライブビュー撮影モードにおいて低速連続撮影モードが設定されている場合には、撮影者は撮影の合間にライブビュー画像を確認できるので、被写体を追従したい目的で利用することに適している。
【００４８】
Ｓ５０７（１枚撮影モード）では、システム制御部２１４は一連の撮影処理を行う。この処理は、Ｓ５０２と同様の処理である。
Ｓ５０８では、システム制御部２１４は表示部１０５にライブビュー画像を表示する。
Ｓ５０９では、システム制御部２１４は第２シャッタースイッチ信号ＳＷ２が発生しているか否かを判定する。第２シャッタースイッチ信号ＳＷ２が発生していない場合には図４のフローチャートに戻る。一方、第２シャッタースイッチ信号ＳＷ２が発生している場合には発生しなくなるまで待機する。
したがって、１枚撮影モードを設定した場合には、シャッタースイッチ信号ＳＷ２が継続して発生していてもＳ５０１に戻ることがないので、連写撮影は行われず一回の撮影で終了する。
【００４９】
Ｓ５１０（セルフタイマー撮影モード）では、システム制御部２１４はシステムタイマー２２５のカウントを開始し、カウント値が所定の値に達することで、Ｓ５１１に進む。
Ｓ５１１では、システム制御部２１４は一連の撮影処理を行う。この処理は、Ｓ５０２と同様の処理である。
Ｓ５１２では、システム制御部２１４は表示部１０５にライブビュー画像を表示する。
Ｓ５１３では、システム制御部２１４は第２シャッタースイッチ信号ＳＷ２が発生しているか否かを判定する。第２シャッタースイッチ信号ＳＷ２が発生していない場合には図４のフローチャートに戻る。一方、第２シャッタースイッチ信号ＳＷ２が発生している場合には発生しなくなるまで待機する。
したがって、セルフタイマー撮影モードを設定した場合には、第２シャッタースイッチ信号ＳＷ２の発生によりカウントが開始され、カウント値が所定の値に達すると撮影を行う。また、第２シャッタースイッチ信号ＳＷ２が継続して発生していてもＳ５０１に戻ることがないので、連写撮影は行われず一回の撮影で終了する。
【００５０】
なお、ここでは、ライブビュー撮影処理について説明したが、ファインダー撮影処理については、上述した図４および図５のフローチャートで説明したライブビュー撮影処理のうち、ライブビュー画像の表示を行わないだけで、ライブビュー撮影処理と略同様である。
すなわち、Ｓ４１１では、システム制御部２１４は変更されたドライブモードに対応するドライブモード情報をシステムメモリ２２４に更新して記憶することでドライブモードを設定する。更に、設定するドライブモードが高速連続撮影モードまたは低速連続撮影モードの場合には、システム制御部２１４は不揮発性メモリ２２３の記憶領域のうちファインダー撮影モード用の記憶領域に、設定したドライブモードが高速連続撮影モードと低速連続撮影モードの何れかであるかを示す連写モード情報を記憶する。したがって、ライブビュー撮影モード用の記憶領域に記憶された連写モード情報は更新されず保持される。また、ファインダー撮影処理においては、高速連続撮影モードおよび低速連続撮影モードの何れの連写の合間にもファインダー１１４を介して被写体の光学像を確認することができる。
【００５１】
次に、ファインダー撮影モードとライブビュー撮影モードとを切替える切替処理について図６のフローチャートを参照して説明する。図６のフローチャートは、システム制御部２１４が、不揮発性メモリ２２３に記憶されたプログラムをシステムメモリ２２４に展開して、実行することで実現する。図６のフローチャートは、ファインダー撮影モードまたはライブビュー撮影モードが設定されているときに開始される。
Ｓ６０１では、システム制御部２１４はライブビューボタン１１０が押下されたか否かを判定する。ライブビューボタン１１０が押下された場合にはＳ６０２に進み、押下されない場合にはライブビューボタン１１０の押下を待機する。
【００５２】
Ｓ６０２では、システム制御部２１４は現在の撮影モードを判定する。具体的には、システム制御部２１４はシステムメモリ２２４から撮影モード情報を読み出し、ファインダー撮影モードであるかライブビュー撮影モードであるかを判定する。ファインダー撮影モードの場合にはＳ６０３に進み、ライブビュー撮影モードの場合にはＳ６０７に進む。
【００５３】
Ｓ６０３では、システム制御部２１４は設定されているドライブモードを判定する。具体的には、システム制御部２１４はシステムメモリ２２４に記憶されたドライブモード情報を読み出すことでドライブモードを判定する。ドライブモードが、１枚撮影モードまたはセルフタイマー撮影モードの場合にはＳ６０４に進み、高速連続撮影モードまたは低速連続撮影モードの場合にはＳ６０６に進む。
【００５４】
Ｓ６０４（１枚撮影モードまたはセルフタイマー撮影モード）では、システム制御部２１４はドライブモードの設定を引き継ぎ、現在のドライブモードを維持する。したがって、１枚撮影モードが設定されている場合には１枚撮影モードの設定が維持され、セルフタイマー撮影モードが設定されている場合にはセルフタイマー撮影モードの設定が維持される。
Ｓ６０５では、システム制御部２１４はファインダー撮影モードからライブビュー撮影モードに切替える。具体的には、システム制御部２１４はシステムメモリ２２４にライブビュー撮影モードに対応する撮影モード情報を記憶する。
したがって、Ｓ６０４およびＳ６０５の処理では、ファインダー撮影モードからライブビュー撮影モードに切替えられても、切替えの前後でドライブモードが維持される。
【００５５】
Ｓ６０６（高速連続撮影モードまたは低速連続撮影モード）では、システム制御部２１４は不揮発性メモリ２２３のライブビュー撮影モード用の記憶領域に記憶された連写モード情報を読み出す。ここで、ライブビュー撮影モード用の記憶領域に記憶された連写モード情報は、ライブビュー撮影処理のＳ４１１で記憶された連写モード情報である。連写モード情報は、ライブビュー撮影モードで最後に設定されていた連写モードが高速連続撮影モードと低速連続撮影モードの何れであったかを示す情報である。システム制御部２１４は読み出した連写モード情報をシステムメモリ２２４に記憶して更新することで、現在のドライブモードとして設定する。したがって、システムメモリ２２４には、前回のライブビュー撮影モードで最後に設定されていた、高速連続撮影モードまたは低速連続撮影モードの何れかに対応するドライブモード情報が記憶される。
Ｓ６０５では、システム制御部２１４はファインダー撮影モードからライブビュー撮影モードに切替える。この処理は、ドライブモードが１枚撮影モードまたはセルフタイマー撮影モードの場合と同様である。Ｓ６０５の処理を経て、ファイダー撮影モードからライブビュー撮影モードへの切替処理が終了する。
【００５６】
一方、Ｓ６０７でも、システム制御部２１４は設定されているドライブモードを判定する。具体的には、システム制御部２１４はシステムメモリ２２４に記憶されたドライブモード情報を読み出すことでドライブモードを判定する。ドライブモードが、１枚撮影モードまたはセルフタイマー撮影モードの場合にはＳ６０８に進み、高速連続撮影モードまたは低速連続撮影モードの場合にはＳ６１０に進む。
【００５７】
Ｓ６０８（１枚撮影モードまたはセルフタイマー撮影モード）では、システム制御部２１４はドライブモードの設定を引き継ぎ、現在のドライブモードを維持する。この処理は、Ｓ６０４と同様である。
Ｓ６０９では、システム制御部２１４はライブビュー撮影モードからファインダー撮影モードに切替える。具体的には、システム制御部２１４はシステムメモリ２２４にファインダー撮影モードに対応する撮影モード情報を記憶する。
したがって、Ｓ６０８およびＳ６０９の処理では、ライブビュー撮影モードからファインダー撮影モードに切替えられても、切替えの前後でドライブモードが維持される。
【００５８】
Ｓ６１０（高速連続撮影モードまたは低速連続撮影モード）では、システム制御部２１４は不揮発性メモリ２２３のファインダー撮影モード用の記憶領域に記憶された連写モード情報を読み出す。ここで、ファインダー撮影モード用の記憶領域に記憶された連写モード情報は、ファインダー撮影処理のＳ４１１に相当する処理で記憶された連写モード情報である。すなわち、ファインダー撮影モード用の記憶領域に記憶された連写モード情報は、ファインダー撮影モードで最後に設定されていた連写モードが、高速連続撮影モードと低速連続撮影モードの何れであったかを示す情報である。システム制御部２１４は読み出した連写モード情報をシステムメモリ２２４に記憶して更新することで、現在のドライブモードとして設定する。したがって、システムメモリ２２４には、前回のファインダー撮影モードで最後に設定されていた、高速連続撮影モードまたは低速連続撮影モードの何れかに対応するドライブモード情報が記憶される。
Ｓ６０９では、システム制御部２１４はライブビュー撮影モードからファインダー撮影モードに切替える。この処理は、ドライブモードが１枚撮影モードまたはセルフタイマー撮影モードの場合と同様である。Ｓ６０９の処理を経て、ライブビュー撮影モードからファイダー撮影モードへの切替処理が終了する。
【００５９】
上述したＳ６０５の処理を経て、ライブビュー撮影モードに切替えられることで、システム制御部２１４は図４のフローチャートで説明したライブビュー撮影処理を実行する。このとき、図４のフローチャートのＳ４０６の撮影処理では、Ｓ５０１においてシステム制御部２１４が読み出すドライブモード情報が連写モードの場合、前回のライブビュー撮影モードの際に最後に設定された連写モードとなる。すなわち、今回のライブビュー撮影モードでも前回のライブビュー撮影モードでの連写速度が反映されることから、被写体の追従を優先したいか、所定の連写速度で撮影することを優先したいか等の撮影者の目的に応じた連写撮影を行うことができる。
【００６０】
また、Ｓ６０９の処理を経て、ファインダー撮影モードに切替えられることで、システム制御部２１４はファインダー撮影処理を実行する。ここで、ファインダー撮影処理は、上述した図４および図５のフローチャートで説明したライブビュー撮影処理のうち、ライブビュー画像の表示を行わないだけで、ライブビュー撮影処理と略同様の撮影処理である。したがって、Ｓ４０６に相当する撮影処理では、ファインダー撮影モードの撮影処理でも、システム制御部２１４が読み出すドライブモード情報が連写モードの場合、前回のファインダー撮影モードの際に最後に設定された連写モードとなる。すなわち、今回のファインダー撮影モードでも前回のファインダー撮影モードで設定した速度の連写モードが反映されることから、被写体の追従を優先したいか、所定の連写速度で撮影することを優先したいか等の撮影者の目的に応じた連写撮影を行うことができる。
【００６１】
一方、ファインダー撮影モードあるいはライブビュー撮影モードに切替えられた場合でも、ドライブモードが一枚撮影モードあるいはセルフタイマー撮影モードの場合には、表示部１０５に表示される画像に変化がないためにドライブモードの設定が維持される。したがって、撮影者は目的に応じた撮影を行うことができる。
【００６２】
なお、上述した図６のフローチャートにおいて、ファインダー撮影モードとライブビュー撮影モードとを切替えるときに、連写速度の異なる連続撮影モードに設定される場合に、撮影者に対して連写速度が異なる旨を報知してもよい。
具体的には、図６のフローチャートのＳ６０３およびＳ６０７でのドライブモードの判定で高速連続撮影モードまたは低速連続撮影モードの場合、システム制御部２１４は連写モード情報を読み出し、切替えの前後で連写速度が異なるか否かを判定する。すなわち、システム制御部２１４は現在設定されているドライブモード情報と、Ｓ６０６またはＳ６１０でそれぞれ読み出す連写モード情報と、が異なる場合には連写速度が異なると判定することができる。なお、システム制御部２１４は現在設定されているドライブモードと、読み出す連写モード情報が示すドライブモードとが同じでも、連写速度が異なる場合には連写速度が異なると判定する。すなわち、ファインダー撮影モードの高速連続撮影モードとライブビュー撮影モードの高速連続撮影モードで連写速度が異なる場合や、ファインダー撮影モードの低速連続撮影モードとライブビュー撮影モードの低速連続撮影モードで連写速度が異なる場合である。
【００６３】
システム制御部２１４は連写速度が異なる場合と判定した場合には、表示部１０５にガイダンスを表示する等して撮影者に対して連写速度が異なるように設定されることを報知する。したがって、撮影者は連写モードの連写速度が異なるように設定されることを認識することができ、必要に応じてドライブモードを変更する操作をすることができる。
【００６４】
また、上述した図６のフローチャートにおいて、低速連続撮影モードと高速連続撮影モードとの間で表示部１０５に表示される画像に変化が生じない場合には、ドライブモードを引き継ぐようにしてもよい。例えば、長時間露光を行う長秒撮影が設定されている場合には連写撮影の合間が長くなるので、高速連続撮影モードと低速連続撮影モードとで表示部１０５に表示される画像が同じようになる場合がある。この場合には、ファインダー撮影モードとライブビュー撮影モードとを切替えるときに、現在設定されているドライブモードを引き継ぎ、ドライブモードを変更しないようにすることができる。
具体的には、図６のフローチャートのＳ６０３およびＳ６０７でのドライブモードの判定で高速連続撮影モードまたは低速連続撮影モードの場合、システム制御部２１４は連写モード情報を読み出し、表示される画像に変化があるか否かを判定する。すなわち、システム制御部２１４は例えば長秒撮影が設定され、高速連続撮影モードと低速連続撮影モードとで表示部１０５に表示される画像が同一になるか否か判定し、同一になる場合には画像に変化が生じないと判定することができる。
【００６５】
画像に変化が生じない場合には、システム制御部２１４は現在のドライブモードを維持したまま、Ｓ６０５またはＳ６０９に進み、ライブビュー撮影モードとファインダー撮影モードとを切替える。したがって、高速連続撮影モードが設定されている場合には高速連続撮影モードの設定が維持され、低速連続撮影モードが設定されている場合には低速連続撮影モードの設定が維持される。一方、画像に変化が生じる場合には、それぞれＳ６０６またはＳ６１０に進む。このように、画像に変化が生じない場合に現在のドライブモードを引き継ぐことで、頻繁に連写速度の設定が変更されることを抑制することができる。
【００６６】
以上、本発明をその好適な実施形態に基づいて詳述したが、本発明は特定の実施形態に限られるものではなく、この発明の要旨を逸脱しない範囲の様々な形態も本発明に含まれる。
上述した実施形態では、連写モードとして、高速連続撮影モードと低速連続撮影モードとの異なる２つの連写速度を設定できる場合について説明したが、この場合に限られず、異なる３つ以上の連写速度を設定できる場合であってもよい。
【００６７】
上述した実施形態では、撮影者がライブビューボタン１１０を介してライブビュー撮影モードとファインダー撮影モードとを切替える指示をしたり、十字キー１０８を介してドライブモードを設定する指示をしたりする場合について説明した。しかしながら、この場合に限られず、撮影者が操作部２２８やタッチパネル２２９等を介して指示してもよい。
上述した実施形態では、撮影者はシャッターボタン１０１を介して撮影の準備を指示したり、撮影を指示したりする場合について説明したが、この場合に限られず、他の操作部２２８やタッチパネル２２９等を介して指示してもよい。
【００６８】
また、システム制御部２１４による制御は１つのハードウェアが行ってもよいし、複数のハードウェアが処理を分担することで、装置全体の制御を行ってもよい。
また、上述した実施形態では、本発明をデジタルカメラに適用する場合について説明したが、この場合に限られず、ライブビュー撮影モードとファインダー撮影モードとの間で切替えることができ、連続撮影できる撮像装置であれば適用可能である。すなわち、本発明はデジタルビデオカメラ等にも適用可能である。
【００６９】
（その他の実施例）
本発明は、上述した実施形態の１以上の機能を実現するプログラムを、ネットワーク又は記憶媒体を介して装置に供給し、その装置のコンピュータにおける１つ以上のプロセッサーがプログラムを読み出し実行する処理でも実現可能である。また、１以上の機能を実現する回路（例えば、ＡＳＩＣ）によっても実現可能である。
【符号の説明】
【００７０】
１００：デジタルカメラ  １０１：シャッターボタン  １０５：表示部  １０８：十字キー  １１０：ライブビューボタン  １１４：ファインダー  ２１４：システム制御部  ２２３：不揮発性メモリ  ２２４：システムメモリ
【図１】
0006635816.tif 000002
【図２】
0006635816.tif 000003
【図３】
0006635816.tif 000004
【図４】
0006635816.tif 000005
【図５】
0006635816.tif 000006
【図６】
0006635816.tif 000007